(57)【要約】【課題】本発明の課題は、設備機器に対するネットワーク設定を容易かつ迅速に行えるようにすることにある。【解決手段】管理装置１０は、ネットワーク６０を介して複数の設備機器を管理する管理装置であって、識別情報記憶部１２ａと、設定情報記憶部１２ｂと、受信部１４と、送信部１５と、を備える。識別情報記憶部１２ａは、設備機器２１，２３の第１の設備機器の識別情報を記憶する。設定情報記憶部１２ｂは、識別情報に対応するネットワーク設定情報を記憶する。受信部１４は、第１の設備機器のネットワーク設定のためのアクセスを受信する。送信部１５は、アクセスに対し、ネットワーク設定情報を送信する。ネットワーク設定情報は、識別情報に対応するＩＰアドレス、デフォルトゲートウエイアドレス、ネットマスク、ＤＮＳサーバアドレス、プロキシサーバアドレス、ローカルネットワークにおける第１の設備機器の系統アドレス等である。【選択図】図１
2009130491.tif 000002
【特許請求の範囲】
【請求項１】
ネットワーク（６０）を介して複数の設備機器（２１，２３）を管理する管理装置（１０）であって、
前記設備機器（２１，２３）の第１の設備機器（２１，２３）の識別情報を記憶する識別情報記憶部（１２ａ）と、
前記識別情報に対応するネットワーク設定情報を記憶する設定情報記憶部（１２ｂ）と、
前記第１の設備機器のネットワーク設定のためのアクセスを受信する受信部（１４）と、
前記アクセスに対し、前記ネットワーク設定情報を送信する送信部（１５）と、
を備える、管理装置。
【請求項２】
前記ネットワーク設定情報は、前記識別情報に対応するＩＰアドレス、デフォルトゲートウエイアドレス、ネットマスク、ＤＮＳサーバアドレス、プロキシサーバアドレス、ローカルネットワークにおける前記第１の設備機器の系統アドレスの少なくとも一つを含む、
請求項１に記載の管理装置。
【請求項３】
前記第１の設備機器（２１，２３）に代えて設置される第２の設備機器に対し、前記第１の設備機器（２１，２３）の前記識別情報を設定する識別情報設定部、
をさらに備える、請求項１に記載の管理装置。
【請求項４】
前記第１の設備機器（２１，２３）の設置が有効か無効かを示す情報を記憶する設置情報記憶部（１２ｃ）と、
前記第１の設備機器（２１，２３）と同一グループにおいて、前記第１の設備機器（２１，２３）が無効である場合、前記識別情報を第２の設備機器の識別情報として設定する第２の識別情報設定部（１１）と、
をさらに備える、請求項１に記載の管理装置。
【請求項５】
前記識別情報に対応する運用情報を記憶する運用情報記憶部（１２ｄ）、
をさらに備え、
前記送信部は、前記第１又は第２の設備機器からの要求に対し前記運用情報を送信する、請求項１から４のいずれかに記載の管理装置。
【請求項６】
請求項１に記載の管理装置（１０）と、
前記第１の設備機器のネットワーク設定のために前記管理装置にアクセスする外部機器（３０）と、
前記複数の設備機器（２１，２３）と、
を備え、
前記ネットワークは、前記管理装置（１０）、前記外部機器（３０）及び前記設備機器（２１，２３）を接続する、
設備機器管理システム。
【請求項７】
ネットワーク（６０）を介して複数の設備機器（２１，２３）を管理する方法であって、
前記設備機器の第１の設備機器（２１，２３）の識別情報を記憶する識別情報記憶ステップと、
前記識別情報に対応するネットワーク設定情報を記憶する設定情報記憶ステップと、
前記第１の設備機器（２１，２３）のネットワーク設定のためのアクセスを受信する受信ステップと、
前記アクセスに対し、前記ネットワーク設定情報を送信する送信ステップと、
を備える方法。
【発明の詳細な説明】
【技術分野】
【０００１】
本発明は、設備機器の管理装置、設備機器管理システム及び設備機器管理方法に関し、特に、設備機器のネットワーク設定に関する。
【背景技術】
【０００２】
従来、複数の場所に設置された設備機器を、外部ネットワークを介して管理センターに接続し、遠隔管理することが行われている（例えば、特許文献１参照）。
【特許文献１】特開２００４−００５４９６号公報
【発明の開示】
【発明が解決しようとする課題】
【０００３】
設備機器は、設置された後ネットワークの設定がなされると、ネットワークの一ノードとして機能する。しかし、設備機器あるいは設備機器の通信を行う装置（例えば、アダプタ装置やネットワークカード）の故障による取替え、設備機器の移設、またローカルネットワークの構成の変更等の事情により、ネットワークの設定を新たに行わなければならないことがある。新たにネットワーク設定を行うには、先の設備機器についてどのようなネットワーク設定がなされていたのか（例えば、ＩＰアドレスやローカルネットワークに関する情報等）を正確に知る必要ある。しかし、設備機器等は、通常、ネットワーク設定に必要な情報を取り出すためのユーザインターフェース等を備えていないことが多い。したがって、各設備機器等から直接ネットワーク設定のための情報を取り出すことができないか、できたとしてもそのための作業が極めて煩雑となる。
【０００４】
そこで、本発明は、設備機器に対するネットワーク設定を容易かつ迅速に行えるようにすることを目的とする。
【課題を解決するための手段】
【０００５】
第１発明に係る管理装置は、ネットワークを介して複数の設備機器を管理する管理装置であって、識別情報記憶部と、設定情報記憶部と、受信部と、送信部と、を備える。識別情報記憶部は、設備機器の第１の設備機器の識別情報を記憶する。設定情報記憶部は、識別情報に対応するネットワーク設定情報を記憶する。受信部は、第１の設備機器のネットワーク設定のためのアクセスを受信する。送信部は、同アクセスに対し、ネットワーク設定情報を送信する。
【０００６】
ここで、設備機器とは、設備機器自体の他に、設備機器の一部に組み込まれ、或いは設備機器に接続されて設備機器のためにネットワーク上の通信を可能にする装置（アダプタ装置やネットワークカード等）を含む。また、識別情報とは、設備機器毎に割り当てられる識別番号や識別記号等であって、例えばＭＡＣアドレスである。
【０００７】
ここでは、管理装置が設備機器の識別情報に対応させてネットワーク設定情報を保持しており、その識別情報からネットワーク設定情報を取得できるため、新たに設置された設備機器であっても同じ識別情報を用いることによって既存のネットワーク設定情報を利用でき、ネットワーク設定を容易かつ迅速に行うことができる。
【０００８】
第２発明に係る管理装置は、第１発明に係る管理装置であって、ネットワーク設定情報は、識別情報に対応するＩＰアドレス、デフォルトゲートウエイアドレス、ネットマスク、ＤＮＳサーバアドレス、プロキシサーバアドレス、ローカルネットワークにおける第１の設備機器の系統アドレスの少なくとも一つを含む。
【０００９】
第３発明に係る管理装置は、第１発明に係る管理装置であって、第１の設備機器に代えて設置される第２の設備機器に対し、第１の設備機器の識別情報を設定する識別情報設定部、をさらに備える。
【００１０】
ここでは、新たに設置等された設備機器（第２の設備機器）に対し、取り外され等した先の設備機器（第１の設備機器）の識別情報を設定する。これにより、新たに設置等された設備機器に対しネットワーク設定情報を改めて取得する必要がないため、ネットワーク設定を容易に行うことができる。
【００１１】
第４発明に係る管理装置は、第１発明に係る管理装置であって、設置情報記憶部と、第２の識別情報設定部と、をさらに備える。設置情報記憶部は、第１の設備機器の設置が有効か無効かを示す情報を記憶する。第２の識別情報設定部は、第１の設備機器と同一グループにおいて、第１の設備機器が無効である場合、識別情報を第２の設備機器の識別情報として設定する。
【００１２】
ここで、同一グループとは、第１設備機器と同じ建物内、同じフロア、同じ顧客、同種の機器等を意味する。また、有効とは、設備機器がネットワーク上にあることを意味する。無効とは、取り外された等の理由により設備機器がネットワーク上にないことを意味する。
【００１３】
ここでは、先の設備機器（第１の設備機器）が取り外され等したためその識別情報が未使用である場合、新たに設置等された設備機器（第２の設備機器）にその識別情報を付与するため、設備機器に対するネットワーク設定を容易かつ迅速に行える。
【００１４】
第５発明に係る管理装置は、第１から第４発明のいずれかに係る装置であって、識別情報に対応する運用情報を記憶する運用情報記憶部、をさらに備える。また、送信部は、第１又は第２の設備機器からの要求に対し運用情報を送信する。
【００１５】
ここで、運用情報とは、過去に蓄積された運転データに基づく運転設定情報、運転モード、発停止情報等を含む。また、設備機器が空調機である場合は、さらに設定温度や風量風向等を含む。
【００１６】
ここでは、ネットワーク設定情報に加え、先の設備機器の運用情報も引き継ぐことができるため、新たに設置された設備機器であっても、運転の設定のやり直しを行わなくともよい。
【００１７】
第６発明に係る設備機器管理システムは、第１発明に係る管理装置と、第１の設備機器のネットワーク設定のために管理装置にアクセスする外部機器と、複数の設備機器と、
を備える。ネットワークは、管理装置、外部機器及び設備機器を接続する。
【００１８】
第７発明に係る方法は、ネットワークを介して複数の設備機器を管理する方法であって、識別情報記憶ステップと、設定情報記憶ステップと、受信ステップと、送信ステップと、を備える。識別情報記憶ステップでは、設備機器の第１の設備機器の識別情報を記憶する。設定情報記憶ステップでは、識別情報に対応するネットワーク設定情報を記憶する。受信ステップでは、第１の設備機器のネットワーク設定のためのアクセスを受信する。送信ステップでは、アクセスに対し、ネットワーク設定情報を送信する。
【発明の効果】
【００１９】
本発明によれば、設備機器に対する新たなネットワーク設定を容易かつ迅速に行うことができる。
【発明を実施するための最良の形態】
【００２０】
１．実施形態
１．１．空調管理システムの概略構成
図１は、本発明の一実施形態に係る空調管理システム１を示す。
【００２１】
空調管理システム１は、アダプタ装置２１と、管理装置１０と、ＰＣ３０とを備える。アダプタ装置２１は、建物内に設置される設備機器の一つである空調機２３の室内機等に設置されている。管理装置１０は、遠隔に設置され、アダプタ装置２１にネットワーク６０を介して通信可能に設けられている。ＰＣ３０は、ネットワーク６０を介して管理装置１０に接続可能に設けられている。ネットワーク６０は、インターネット等の外部ネットワークやＬＡＮなどの内部ネットワークを含む。
【００２２】
アダプタ装置２１は、建物内のローカルネットワークの一ノードであり、空調機２３のための通信を行う。アダプタ装置２１は、本発明に係るネットワーク設定の他にも、空調機２３の制御情報、運転情報等を管理装置１０に送信し、管理装置１０からの指令や情報を受信する。管理装置１０は、空調機２３の制御情報、運転情報等を収集し集中的に管理する。
【００２３】
図示は省略しているが、空調管理システム１は、複数の建物における空調機２３の管理制御を行っている。また、建物内の複数の空調機２３の制御情報、運転情報等は、コントローラによって収集され、管理装置１０に送信されてもよい。
【００２４】
ＰＣ３０は、パーソナルコンピュータ、携帯端末機等の外部機器であり、所定のユーザインターフェースを介して管理装置１０にアクセスできる機器である。
【００２５】
１．２．管理装置
図１に示すように、管理装置１０は、識別情報設定部１１と、記憶部１２と、処理部１３と、受信部１４と、送信部１５とを備える。
【００２６】
識別情報設定部１１は、後述するように、新たな空調機が設置された場合に、未使用の識別情報を取得し、割り当てる機能を有する。
【００２７】
記憶部１２は、識別情報記憶部１２ａと、ネットワーク設定情報記憶部１２ｂと、設置情報記憶部１２ｃと、運用情報記憶部１２ｄと、グループ情報記憶部１２ｅを含む。なお、記憶部１２の各情報は、データベース化されていてもよい。
【００２８】
識別情報記憶部１２ａは、各空調機２３の識別情報を記憶する。識別情報は、各空調機２３或いは各空調機２３に取り付けられるアダプタ装置２１に一意に与えられる識別番号や識別記号であり、例えばＭＡＣアドレスである。
【００２９】
ネットワーク設定情報記憶部１２ｂは、各空調機２３のネットワーク設定情報を記憶する。ここで、ネットワーク設定情報は、ＩＰアドレス、デフォルトゲートウエイアドレス、ネットマスク、ＤＮＳサーバアドレス、プロキシサーバアドレス、ローカルネットワークにおける空調機２３の系統アドレス等である。
【００３０】
設置情報記憶部１２ｃは、各空調機２３が実際にネットワーク上に設置されているかどうか、すなわち各空調機２３が有効に設置されているかどうかを示す情報である。この設定情報は、例えば空調機２３の設置後の試運転等を通じてその設置を有効とする。
【００３１】
運用情報記憶部１２ｄは、各空調機２３について、過去に蓄積された運転データに基づく運転設定情報や、運転モード、発停止情報、設定温度、風量風向等の情報を含む。
【００３２】
グループ情報記憶部１２ｅは、空調機２３が属するグループに関する情報を記憶する。このグループとは、例えば、同じ建物内、同じフロア、同じ顧客、同種の機器等によって分類される。例えば、図３に示すように、グループ情報が同じ空調機は同じグループ（例えば建物が同じ）に属する。
【００３３】
処理部１３は、受信部１４で受信されたＰＣ３０からのアクセスに応じて記憶部１２を参照し、必要に応じて情報の読み出し、更新等を行う。受信部１４は、ネットワークを介して受信されたＰＣ３０やアダプタ装置２１からの要求等を受信する。送信部１５は、ＰＣ３０やアダプタ装置２１への応答等を送信する。
【００３４】
なお、管理装置１０は、例えば次のような構成を有するコンピュータである。記憶部１２は、内部メモリやコンピュータに接続される外部記憶装置により実現される。識別情報設定部１１、処理部１３、受信部１４及び送信部１５は、内部メモリや外部記憶装置に記憶された所定のプログラム（図示省略）とその処理を実行するＣＰＵにより実現される。
【００３５】
１．３．アダプタ装置と空調機
アダプタ装置２１は、空調機２３内に取り付けられ、或いは空調機２３に接続され、空調機２３に関する情報を管理装置１０に送信する機能を有する。空調機２３は室内機や室外機である。なお、上記識別情報はアダプタ装置２１に付されたものであっても、空調機２３に付されたものであってもよい。
【００３６】
１．４．空調管理システムの処理
図２は、本実施形態に係る空調管理システム１の処理の流れを示すフローチャートである。また、図３は、記憶部１２の情報の内容を概略的に示す図である。
【００３７】
空調機２３やアダプタ装置２１は、故障により取替えられたり、移設されたりした場合、或いはローカルネットワークの構成に変更等があった場合、ＩＰアドレス等のネットワークの設定を行う必要がある。この場合、外部機器であるＰＣ３０から管理装置１０にアクセスし、そのネットワークに設定に必要な情報を取得する。具体的には次のような処理を行う。
【００３８】
Ｓ１０１ステップ：ＰＣ３０によりアクセスする。この場合、取り替えられるアダプタ装置２１や空調機２３の識別情報が判明していれば、識別情報を入力し、グループ情報も入力する。なお、この識別情報やグループ情報の入力は、ＰＣ３０上のユーザログイン等を通じて行われてもよい。このアクセスは、管理装置１０の受信部１４により受信される。
【００３９】
Ｓ１０２ステップ：管理装置１０の処理部１３は、受信されたアクセスに識別情報があるかどうかを判別し、識別情報があればＳ１０３ステップへ進み、識別情報がなければＳ１０４ステップに進む。
【００４０】
Ｓ１０３ステップ：Ｓ１０２ステップにおいて識別情報があると判定された場合、処理部１３は、記憶部１２の識別情報記憶部１２ａを参照し、該当する空調機２３を特定する。
【００４１】
Ｓ１０４ステップ：Ｓ１０２ステップにおいて識別情報がないと判定された場合、設置情報記憶部１２ｃ及びグループ情報記憶部１２ｅを参照し、同一グループ内で空調機の設置が無効となっているものはいないかどうかを判定する。設置が無効となっている識別情報があればＳ１０５ステップに進み、設置が無効となっている識別情報がなければ、Ｓ１０７ステップに進む。
【００４２】
Ｓ１０５ステップ： Ｓ１０４ステップにおいて、設置が無効となっている識別情報を当該アダプタ装置２１又は空調機２３の識別情報として設定する。また、この設定に応じて、図３に示すように、設置情報記憶部１２ｃを無効から有効に更新する。
【００４３】
Ｓ１０６ステップ：処理部１３は、識別情報に対応するネットワーク設定情報をネットワーク設定情報記憶部１２ｂから取得し、送信部１５を介してＰＣ３０に送信する。なお、Ｓ１０５ステップにおいて新たに設定された識別情報がある場合、同時に送信する。
【００４４】
Ｓ１０７ステップ：Ｓ１０４ステップにおいて、設置が無効となっている識別情報がなければ、識別情報がない旨ＰＣ３０に応答する。なお、ＰＣ３０は、新たに設定されたアダプタ装置２１や空調機２３の識別情報を取得し、同識別情報及び新たになされるネットワーク設定を行う（図示省略）。これらの情報は、管理装置１０に登録され記憶される。
【００４５】
なお、上記第１及び第２の処理は一例であり、その処理手順は上記のものに限定されるものではない。
【００４６】
１．５．本実施形態の効果
本実施形態に係る空調管理システム１の管理装置１０によれば、管理装置１０が空調機の識別情報に対応させてネットワーク設定情報を保持しており、その識別情報からネットワーク設定情報を取得できる。したがって、新たに設置されたアダプタ装置２１或いは空調機２３であっても、取り替えられた機器と同じ識別情報を用いることによって、既存のネットワーク設定情報を利用でき、ネットワーク設定を容易かつ迅速に行うことができる。
【００４７】
また、識別情報設定部１１は、アダプタ装置２１又は空調機２３が取り外され等したためその識別情報が未使用である場合、新たに設置等されたアダプタ装置２１や空調機２３にその識別情報を付与する。よって、ネットワーク設定を容易かつ迅速に行える。また、グループ情報を利用することにより、新たに設置等されたアダプタ装置２１や空調機２３は、適切なネットワーク設定情報を引き継ぐことができる。
【００４８】
さらに、管理装置１０は、識別情報に対応させて空調機２３の運用情報を記憶している。よって、ネットワーク設定情報に加え、先の空調機２３の運用情報も引き継ぐことができるため、新たに設置等された空調機２３であっても運転の設定のやり直しを行わなくともよい。
【００４９】
２．変形例
上記実施形態においては、アダプタ装置２１を取り付ける対象の機器として空調機２３を例に挙げているが、本発明はこれに限定されない。他の設備機器であってネットワークのノードとなり得るものであれば全て含まれる。
【００５０】
３．その他
図４は、上記空調管理システム１において、管理装置１０とリモートコントローラ２４との時刻同期の方法を説明する図である。
【００５１】
リモートコントローラ２４は、空調機２３のスケジュール設定機能を有する。しかし、空調機の遠隔管理システムにおいては、遠隔の管理装置１０によりスケジュールを実行することがある。このような場合、リモートコントローラ２４と管理装置１０とが時刻がずれていると、スケジュール設定した時刻通りに空調機が動作しない等の不都合が生じる。したがって、リモートコントローラ２４と管理装置１０との時刻を同期させる必要がある。以下、その具体的な手段を述べる。
【００５２】
まず、管理装置１０と直接通信を行うアダプタ装置２１との時刻同期を行う。具体的には、アダプタ装置２１がネットワーク６０を介して、管理装置１０に接続し、管理装置１０の時刻情報を取得する。次いで、アダプタ装置２１は、自身の時刻を取得した時刻に合わせる。これにより、アダプタ装置２１と管理装置１０との時刻同期が実現される。
【００５３】
そして、リモートコントローラ２４とアダプタ装置２１との時刻同期を行う。この場合有線無線のいずれによってもよい。また、空調機２３との時刻同期を併せて行ってもよい。
【００５４】
アダプタ装置２１は、管理装置１０より入手した時刻情報を直接リモートコントローラ２４に送信することにより、時刻同期を行うことも考えられる。しかし、リモートコントローラ２４による通信は遅いことが多く、また、即時に時刻同期を実行することができない場合がある。よって、本実施例においては、管理装置１０より取得した時刻情報ではなく、アダプタ装置２１自身の時刻を用いる方が望ましい。
【００５５】
なお、アダプタ装置２１及び空調機２３は建物内の内部ネットワーク上にある。セキュリティ上の観点から、アダプタ装置２１と管理装置１０との接続は、アダプタ装置２１から接続要求し、管理装置１０が応答することによってなされる。
【産業上の利用可能性】
【００５６】
本発明は、設備機器に対するネットワーク設定を容易かつ迅速に行えるという効果を有し、設備機器の管理装置、設備機器管理システム及び設備機器管理方法として有用である。
【図面の簡単な説明】
【００５７】
【図１】本発明の実施形態に係る空調管理システムの構成図
【図２】本発明の実施形態に係る空調管理システムの処理の流れを示すフローチャート
【図３】本発明の実施形態に係る管理装置の記憶部の情報の内容を示す図
【図４】本発明の実施形態の時刻同期方法の説明図
【符号の説明】
【００５８】
１              空調管理システム（設備機器管理システム）
１０            管理装置
１１            識別情報設定部
１２            記憶部
１２ａ          識別情報記憶部
１２ｂ          ネットワーク設定情報記憶部（設定情報記憶部）
１２ｃ          設置情報記憶部
１２ｄ          運用情報記憶部
１２ｅ          グループ情報記憶部
１３            処理部
１４            受信部
１５            送信部
２１            アダプタ装置
２３            空調機
２４            リモートコントローラ
３０            ＰＣ（外部機器）
６０            ネットワーク
【図１】
2009130491.tif 000003
【図２】
2009130491.tif 000004
【図３】
2009130491.tif 000005
【図４】
2009130491.tif 000006